(57)【要約】      （修正有）【課題】コネクタの内部において、所定の端面の位置で光ファイバの端部を確実に固定する光ファイバ固定構造を提供する。【解決手段】先端から長さ方向に延びるすり割りを有するスリーブチャック１５ａは、光ファイバ心線５を挿通させた状態でコネクタ１０の貫通孔１１におけるテーパー孔部１１ｃの表面に当接して加締められることにより、光ファイバ心線５を被覆層４で保持してコネクタ１０の貫通孔１１の内部で固定されるように構成されていると共に、貫通孔１１における大径孔部１１ａに係合するように設けられた後端ストレート部１６ａと、貫通孔１１における小径孔部１１ｂに係合するように設けられた先端ストレート部１７ａと、テーパー孔部１１ｃに係合するように設けられたテーパー部１８ａとを備えている。【選択図】図１
2015163932.tif 000002
【特許請求の範囲】
【請求項１】
貫通孔が形成されたコネクタの該貫通孔の内部に、被覆層が外周に設けられた光ファイバ心線の端部をスリーブチャックを介して固定する光ファイバ固定構造であって、
上記コネクタの貫通孔は、相対的に大きい径に形成されて上記光ファイバ心線の端部の後端部分を収容する大径孔部と、相対的に小さい径に形成されて上記光ファイバ心線の端部の先端部分を収容する小径孔部と、上記大径孔部及び小径孔部の間に設けられ、該大径孔部から該小径孔部に向けて縮径するように形成されたテーパー孔部とを備え、
上記スリーブチャックは、先端から長さ方向に延びるように形成されたすり割りを有し、上記光ファイバ心線を挿通させた状態で上記テーパー孔部の表面に当接して加締められることにより、該光ファイバ心線を上記被覆層で保持して上記コネクタの貫通孔の内部で固定されるように構成されていると共に、上記大径孔部に係合するように設けられた後端ストレート部と、上記小径孔部に係合するように設けられた先端ストレート部と、上記テーパー孔部に係合するように設けられたテーパー部とを備えている、光ファイバ固定構造。
【請求項２】
請求項１に記載された光ファイバ固定構造において、
上記先端ストレート部及びテーパー部の上記被覆層に接触する表面は、ねじ切りされている、光ファイバ固定構造。
【請求項３】
請求項１又は２に記載された光ファイバ固定構造において、
上記スリーブチャックは、弾性を有する金属により形成されている、光ファイバ固定構造。
【請求項４】
請求項１〜３の何れか１つに記載された光ファイバ固定構造において、
上記小径孔部において、上記スリーブチャックから突出する光ファイバ心線は、上記被覆層が除去されて光ファイバの側面が露出している、光ファイバ固定構造。
【請求項５】
請求項４に記載された光ファイバ固定構造において、
上記小径孔部に係合された上記スリーブチャックの先端ストレート部の先端側において、上記光ファイバ心線は、上記被覆層が除去されて光ファイバの側面が露出している、光ファイバ固定構造。
【請求項６】
請求項４又は５に記載された光ファイバ固定構造において、
上記被覆層が除去された光ファイバの側面には、モードストリッパが形成されている、光ファイバ固定構造。
【発明の詳細な説明】
【技術分野】
【０００１】
本発明は、光ファイバ固定構造に関し、特に、コネクタの内部に光ファイバの端部を固定する構造に関するものである。
【背景技術】
【０００２】
光ファイバの端部には、例えば、入射光学系や出射光学系などに設けられたレセプタクルに接続するためのコネクタが固定されている。
【０００３】
例えば、特許文献１には、光ファイバをスリーブを介してフェルールにチャックすることにより、光ファイバをフェルールに固定するレーザ加工用光ファイバコネクタが開示されている。
【先行技術文献】
【特許文献】
【０００４】
【特許文献１】特開２００１−３１８２７１号公報
【発明の概要】
【発明が解決しようとする課題】
【０００５】
ところで、筒状のコネクタの内部に光ファイバの端部が固定されたコネクタでは、入射光学系や出射光学系などと精度よく光結合させるために、そのコネクタの内部において、光ファイバの端面が所定の位置に確実に配置されることが重要である。しかしながら、例えば、コネクタ及び光ファイバの間に介在させたスリーブチャックを加締めることにより、コネクタの内部に光ファイバの端部を固定する場合には、スリーブチャックを加締める際に光ファイバがコネクタの内部で移動することがあるので、改善の余地がある。
【０００６】
本発明は、かかる点に鑑みてなされたものであり、その目的とするところは、コネクタの内部において、所定の端面の位置で光ファイバの端部を確実に固定することにある。
【課題を解決するための手段】
【０００７】
上記目的を達成するために、本発明は、光ファイバ心線を被覆層で保持してコネクタの貫通孔の内部で固定されるスリーブチャックがコネクタの貫通孔の小径孔部に係合する先端ストレート部を備えるようにしたものである。
【０００８】
具体的に本発明に係る光ファイバ固定構造は、貫通孔が形成されたコネクタの該貫通孔の内部に、被覆層が外周に設けられた光ファイバ心線の端部をスリーブチャックを介して固定する光ファイバ固定構造であって、上記コネクタの貫通孔は、相対的に大きい径に形成されて上記光ファイバ心線の端部の後端部分を収容する大径孔部と、相対的に小さい径に形成されて上記光ファイバ心線の端部の先端部分を収容する小径孔部と、上記大径孔部及び小径孔部の間に設けられ、該大径孔部から該小径孔部に向けて縮径するように形成されたテーパー孔部とを備え、上記スリーブチャックは、先端から長さ方向に延びるように形成されたすり割りを有し、上記光ファイバ心線を挿通させた状態で上記テーパー孔部の表面に当接して加締められることにより、該光ファイバ心線を上記被覆層で保持して上記コネクタの貫通孔の内部で固定されるように構成されていると共に、上記大径孔部に係合するように設けられた後端ストレート部と、上記小径孔部に係合するように設けられた先端ストレート部と、上記テーパー孔部に係合するように設けられたテーパー部とを備えている。
【０００９】
上記の構成によれば、先端から長さ方向に延びるすり割りが形成されたスリーブチャックは、先端から後端に向けて順に設けられた先端ストレート部、テーパー部及び後端ストレート部を備えている。ここで、後端ストレート部は、コネクタの貫通孔の大径孔部に係合するように設けられているので、コネクタの貫通孔の内部において、光ファイバ心線を挿通させた状態でスリーブチャックをスムーズに摺動させることができる。また、テーパー部は、コネクタの貫通孔のテーパー孔部に係合するように設けられているので、テーパー孔部の表面に当接して加締められることにより、コネクタの貫通孔の内部において、光ファイバ心線を被覆層で保持した状態でスリーブチャックを固定することができる。さらに、先端ストレート部は、コネクタの貫通孔の小径孔部に係合するように設けられているので、テーパー部に連動して、光ファイバ心線を被覆層で保持することができる。これにより、光ファイバ心線は、スリーブチャックのテーパー部だけでなく先端ストレート部でも保持されるので、コネクタの貫通孔の内部において、光ファイバ心線の端部が確実に固定されると共に、光ファイバ心線の端面の位置が固定される。したがって、コネクタの内部において、所定の端面の位置で光ファイバの端部を確実に固定することができる。
【００１０】
上記先端ストレート部及びテーパー部の上記被覆層に接触する表面は、ねじ切りされていてもよい。
【００１１】
上記の構成によれば、スリーブチャックの先端ストレート部及びテーパー部において、光ファイバ心線の被覆層に接触する表面は、ねじ切りされているので、コネクタの貫通孔の内部における光ファイバ心線の固定力をねじ山により向上させることができる。
【００１２】
上記スリーブチャックは、弾性を有する金属により形成されていてもよい。
【００１３】
上記の構成によれば、スリーブチャックが弾性を有するりん青銅などの金属により形成されているので、スリーブチャックの弾性力により、コネクタの貫通孔の内部における光ファイバ心線の固定力を向上させることができる。
【００１４】
上記小径孔部において、上記スリーブチャックから突出する光ファイバ心線は、上記被覆層が除去されて光ファイバの側面が露出していてもよい。
【００１５】
上記の構成によれば、コネクタの貫通孔の小径孔部では、光ファイバ心線の被覆層が除去されて光ファイバの側面が露出している。そのため、例えば、レーザ光の調心ずれや熱レンズ効果などに起因して、光ファイバの端面から入射するレーザ光がコネクタの小径孔部内の光ファイバ外の空間に入射しても、そのレーザ光が光ファイバ心線の被覆層に直接的に入射し難いので、レーザ光の直接的な入射による被覆層の焼損を抑制することができる。
【００１６】
上記小径孔部に係合された上記スリーブチャックの先端ストレート部の先端側において、上記光ファイバ心線は、上記被覆層が除去されて光ファイバの側面が露出していてもよい。
【００１７】
上記の構成によれば、コネクタの貫通孔の小径孔部に係合されたスリーブチャックの先端ストレート部の先端側では、光ファイバ心線の被覆層が除去されて光ファイバの側面が露出している。そのため、例えば、レーザ光の調心ずれや熱レンズ効果などに起因して、光ファイバの端面から入射したレーザ光のうち、光ファイバのクラッドを伝搬するレーザ光、すなわち、クラッドモード光が例えばモードストリッパなどを介して外部に放射された後に、コネクタの小径孔部内を伝搬して、スリーブチャックの先端ストレート部の先端側に入射しても、そのクラッドモード光が光ファイバ心線の被覆層に到達し難い。これにより、クラッドモード光による被覆層の焼損を抑制することができる。
【００１８】
ここで、スリーブチャックが弾性を有するりん青銅よりも高い熱伝導性を有する無酸素銅などの金属により形成されている場合には、レーザ光の入射によりスリーブチャックで発生した熱を効果的に吸収し、その熱をコネクタ外に排出することができるので、クラッドモード光による被覆層の焼損をいっそう抑制することができる。さらに、そのスリーブチャックの表面に金メッキ処理が施されている場合には、レーザ光の入射によりスリーブチャックで発生した熱をより効果的に吸収し、その熱をコネクタ外に排出することができるので、クラッドモード光による被覆層の焼損をよりいっそう抑制することができる。
【００１９】
なお、スリーブチャックの先端ストレート部の先端側では、光ファイバ心線の被覆層が除去されていても、その先端ストレート部の後端側では、光ファイバ心線の被覆層が残っているので、スリーブチャックの先端ストレート部の後端側の部分によって、光ファイバ心線をその被覆層で十分に保持することができる。
【００２０】
上記被覆層が除去された光ファイバの側面には、モードストリッパが形成されていてもよい。
【００２１】
上記の構成によれば、光ファイバ心線の被覆層が除去された光ファイバの側面にモードストリッパが形成されている。そのため、例えば、光ファイバのクラッドを伝搬するクラッドモード光がモードストリッパを介して放射されても、その放射されたクラッドモード光が光ファイバ心線の被覆層に到達し難いので、クラッドモード光による被覆層の焼損を効果的に抑制することができる。
【発明の効果】
【００２２】
本発明によれば、光ファイバ心線を被覆層で保持してコネクタの貫通孔の内部で固定されるスリーブチャックがコネクタの貫通孔の小径孔部に係合する先端ストレート部を備えているので、コネクタの内部において、所定の端面の位置で光ファイバの端部を確実に固定することができる。
【図面の簡単な説明】
【００２３】
【図１】実施形態１に係る光ファイバ固定構造の縦断面図である。
【図２】光ファイバ固定構造を構成するスリーブチャックの側面図である。
【図３】スリーブチャックの正面図である。
【図４】スリーブチャックの背面図である。
【図５】光ファイバ固定構造を構成する光ファイバ心線の斜視図である。
【図６】実施形態２に係る光ファイバ固定構造の縦断面図である。
【図７】実施形態３に係る光ファイバ固定構造の縦断面図である。
【図８】比較例の光ファイバ固定構造の縦断面図である。
【図９】比較例のスリーブチャックの側面図である。
【発明を実施するための形態】
【００２４】
以下、本発明の実施形態を図面に基づいて詳細に説明する。なお、本発明は、以下の各実施形態に限定されるものではない。
【００２５】
《発明の実施形態１》
図１〜図５は、本発明に係る光ファイバ固定構造の実施形態１を示している。具体的に、図１は、本実施形態の光ファイバ固定構造３０ａの縦断面図である。また、図２は、光ファイバ固定構造３０ａを構成するスリーブチャック１５ａの側面図である。また、図３は、スリーブチャック１５ａを先端側から見た正面図である。また、図４は、スリーブチャック１５ａを後端側から見た背面図である。また、図５は、光ファイバ固定構造３０ａを構成する光ファイバ心線５の斜視図である。なお、図１は、図３中のＡ−Ａ断面に沿うスリーブチャック１５ａを備えた光ファイバ固定構造３０ａの断面図である。
【００２６】
光ファイバ固定構造３０ａは、図１に示すように、貫通孔１１が形成されたコネクタ１０と、貫通孔１１の内部にスリーブチャック１５ａを介して固定された光ファイバ心線５と、貫通孔１１の内部でスリーブチャック１５ａを後方（図中右側）から保持し、貫通孔１１の内部で光ファイバ心線５及びスリーブチャック１５ａを固定するためのチャックねじ２０とを備えている。
【００２７】
光ファイバ心線５は、図１及び図５に示すように、例えば、レーザ光を伝送するための光ファイバ３と、光ファイバ３を被覆するように設けられた被覆層４とを備えている。
【００２８】
光ファイバ３は、図５に示すように、コア１と、コア１を被覆するように設けられたクラッド２とを備えている。ここで、コア１は、例えば、石英により形成され、ほぼ石英単体の屈折率（例えば、１．４５７）を有している。また、クラッド２は、例えば、フッ素やホウ素などがドープされた石英に形成され、コア１の屈折率よりも低い屈折率（例えば、１．４４３）を有している。
【００２９】
被覆層４は、図５に示すように、バッファ層４ａと、バッファ層４ａを被覆するように設けられたジャケット層４ｂとを備えている。ここで、バッファ層４ａは、例えば、シリコーン樹脂により形成されている。また、ジャケット層４ｂは、例えば、ナイロン樹脂により形成されている。
【００３０】
コネクタ１０は、例えば、ステンレス鋼などの金属により、略円筒状に形成されている。そして、コネクタ１０の中空部の貫通孔１１は、図１に示すように、相対的に大きい径に形成された大径孔部１１ａと、相対的に小さい径に形成された小径孔部１１ｂと、大径孔部１１ａ及び小径孔部１１ｂの間に設けられ、大径孔部１１ａから小径孔部１１ｂに向けて縮径するように形成されたテーパー孔部１１ｃとを備えている。ここで、大径孔部１１ａ及び小径孔部１１ｂは、図１に示すように、光ファイバ心線５の端部の後端部分及び先端部分をそれぞれ収容するように設けられている。なお、光ファイバ固定構造３０ａでは、図１に示すように、コネクタ１０の小径孔部１１ｂにおいて、スリーブチャック１５ａから突出する光ファイバ心線５の被覆層４が除去されて光ファイバ３の側面が露出している。また、大径孔部１１ａの後端側の表面には、チャックねじ２０を螺着させるための雌ねじが形成されている。
【００３１】
スリーブチャック１５ａは、例えば、快削りん青銅などの弾性を有する金属により、略円筒状に形成されている。また、スリーブチャック１５ａの先端部分には、図２〜図４に示すように、先端から長さ方向に延びるように４つのすり割り１９が周方向に９０度の間隔で形成されている。そして、スリーブチャック１５ａは、光ファイバ心線５を挿通させた状態でその先端部分がテーパー孔部１１ｃの表面に当接して加締められることにより、光ファイバ心線５を被覆層４で保持してコネクタ１０の貫通孔１１の内部で固定されるように構成されている。
【００３２】
また、スリーブチャック１５ａは、図１及び図２に示すように、大径孔部１１ａに係合するように設けられた後端ストレート部１６ａと、小径孔部１１ｂに係合するように設けられた先端ストレート部１７ａと、テーパー孔部１１ｃに係合するように設けられたテーパー部１８ａとを備えている。ここで、先端ストレート部１７ａ及びテーパー部１８ａは、４つのすり割り１９により、それぞれ４つに分離されている。また、先端ストレート部１７ａ及びテーパー部１８ａの被覆層４に接触する表面は、ねじ切りされている。
【００３３】
チャックねじ２０は、例えば、ステンレス鋼などの金属により、略円筒状に形成されている。ここで、チャックねじ２０の外周面には、大径孔部１１ａの後端側の表面に形成された雌ねじに螺合する雄ねじが形成されている。
【００３４】
上記構成の光ファイバ固定構造３０ａは、まず、コネクタ１０の貫通孔１１の内部に後端側からスリーブチャック１５ａ及びチャックねじ２０を順に挿入し、続いて、光ファイバ心線５の端部の被覆層４を除去した後に、その光ファイバ心線５を被覆層４が除去された側からスリーブチャック１５ａ及びチャックねじ２０の内部に挿入し、さらに、光ファイバ心線５を被覆層４で保持した状態でスリーブチャック１５ａを固定するために、チャックねじ２０をトルクドライバ（トルクレンチ）で締め込み、スリーブチャック１５ａの先端部分を加締めることにより、製造することができる。
【００３５】
ここで、光ファイバ固定構造３０ａを製造する場合には、スリーブチャック１５ａの先端部分を加締めることにより、光ファイバ心線５の被覆層４は、スリーブチャック１５ａのテーパー部１８ａだけでなく先端ストレート部１７ａでも保持されるので、光ファイバ心線５の光ファイバ３の端面が前方（図１中の左側）に突出し難い。
【００３６】
これに対して、比較例の光ファイバ固定構造１３０では、以下のようになってしまう。ここで、図８は、比較例の光ファイバ固定構造１３０の図１相当図である。また、図９は、光ファイバ固定構造１３０を構成するスリーブチャック１１５の図２相当図である。
【００３７】
光ファイバ固定構造１３０は、図８に示すように、光ファイバ固定構造３０ａのスリーブチャック１５ａをスリーブチャック１１５に置き換えているだけで、その他の構成が光ファイバ固定構造３０ａの構成と実質的に同じになっている。ここで、スリーブチャック１１５は、例えば、快削りん青銅などの弾性を有する金属により、略円筒状に形成されている。また、スリーブチャック１１５の先端部分には、図９に示すように、先端から長さ方向に延びるように４つのすり割り１１９が周方向に９０度の間隔で形成されている。そして、スリーブチャック１１５は、光ファイバ心線５を挿通させた状態でその先端部分がテーパー孔部１１ｃの表面に当接して加締められることにより、光ファイバ心線５を被覆層４で保持してコネクタ１０の貫通孔１１の内部で固定されるように構成されている。また、スリーブチャック１１５は、図８及び図９に示すように、大径孔部１１ａに係合するように設けられた後端ストレート部１１６と、テーパー孔部１１ｃに係合するように設けられたテーパー部１１８とを備えている。そして、テーパー部１１８は、４つのすり割り１１９により、４つに分離されている。また、テーパー部１１８の被覆層４に接触する表面は、ねじ切りされている。なお、スリーブチャック１１５の材質は、スリーブチャック１５ａと同じであり、後端ストレート部１１６及びテーパー部１１８のサイズは、スリーブチャック１５ａの後端ストレート部１６ａ及びテーパー部１８ａと同じである。すなわち、スリーブチャック１１５は、スリーブチャック１５ａの先端ストレート部１７ａが省略された構成になっている。
【００３８】
ここで、光ファイバ固定構造１３０を製造する場合には、スリーブチャック１１５の先端部分を加締めることにより、光ファイバ心線５の被覆層４は、スリーブチャック１１５のテーパー部１１８だけで保持されるので、チャックねじ２０の締め込みに起因して、光ファイバ心線５の光ファイバ３の端面が前方（図８中の左側）に突出し易い。
【００３９】
以上説明したように、本実施形態の光ファイバ固定構造３０ａによれば、先端から長さ方向に延びるすり割り１９が形成されたスリーブチャック１５ａは、先端から後端に向けて順に設けられた先端ストレート部１７ａ、テーパー部１８ａ及び後端ストレート部１６ａを備えている。ここで、後端ストレート部１６ａは、コネクタ１０の貫通孔１１の大径孔部１１ａに係合するように設けられているので、コネクタ１０の貫通孔１１の内部において、光ファイバ心線５を挿通させた状態でスリーブチャック１５ａをスムーズに摺動させることができる。また、テーパー部１８ａは、コネクタ１０の貫通孔１１のテーパー孔部１１ｃに係合するように設けられているので、テーパー孔部１１ｃの表面に当接して加締められることにより、コネクタ１０の貫通孔１１の内部において、光ファイバ心線５を被覆層４で保持した状態でスリーブチャック１５ａを固定することができる。さらに、先端ストレート部１７ａは、コネクタ１０の貫通孔１１の小径孔部１１ｂに係合するように設けられているので、テーパー部１８ａに連動して、光ファイバ心線５を被覆層４で保持することができる。これにより、光ファイバ心線５は、スリーブチャック１５ａのテーパー部１８ａだけでなく先端ストレート部１７ａでも保持されるので、コネクタ１０の貫通孔１１の内部において、光ファイバ心線５の端部が確実に固定されると共に、光ファイバ心線５（光ファイバ３）の端面の位置が固定される。したがって、コネクタ１０の内部において、所定の端面の位置で光ファイバ３の端部を確実に固定することができる。
【００４０】
また、本実施形態の光ファイバ固定構造３０ａによれば、スリーブチャック１５ａの先端ストレート部１７ａ及びテーパー部１８ａにおいて、光ファイバ心線５の被覆層４に接触する表面は、ねじ切りされているので、コネクタ１０の貫通孔１１の内部における光ファイバ心線５の固定力をねじ山により向上させることができる。
【００４１】
また、本実施形態の光ファイバ固定構造３０ａによれば、スリーブチャック１５ａが弾性を有する金属により形成されているので、スリーブチャック１５ａの弾性力により、コネクタ１０の貫通孔１１の内部における光ファイバ心線５の固定力を向上させることができる。
【００４２】
また、本実施形態の光ファイバ固定構造３０ａによれば、コネクタ１０の貫通孔１１の小径孔部１１ｂでは、光ファイバ心線５の被覆層４が除去されて光ファイバ３の側面が露出している。そのため、例えば、レーザ光の調心ずれや熱レンズ効果などに起因して、光ファイバ３の端面から入射するレーザ光がコネクタ１０の小径孔部１１ｂ内の光ファイバ３外の空間に入射しても、そのレーザ光が光ファイバ心線５の被覆層４に直接的に入射し難いので、レーザ光の直接的な入射による被覆層４の焼損を抑制することができる。
【００４３】
《発明の実施形態２》
図６は、本実施形態の光ファイバ固定構造３０ｂの縦断面図である。なお、以下の各実施形態において、図１〜図５と同じ部分については同じ符号を付して、その詳細な説明を省略する。
【００４４】
上記実施形態１では、光ファイバ心線５の被覆層４が先端ストレート部１７ａの先端面まで形成された光ファイバ固定構造３０ａを例示したが、本実施形態では、光ファイバ心線５の被覆層４が先端ストレート部１７ｂの先端面から後退するように形成された光ファイバ固定構造３０ｂを例示する。
【００４５】
光ファイバ固定構造３０ｂは、図６に示すように、貫通孔１１が形成されたコネクタ１０と、貫通孔１１の内部にスリーブチャック１５ｂを介して固定された光ファイバ心線５と、貫通孔１１の内部でスリーブチャック１５ｂを後方（図中右側）から保持し、貫通孔１１の内部で光ファイバ心線５及びスリーブチャック１５ｂを固定するためのチャックねじ２０とを備えている。
【００４６】
光ファイバ心線５は、図６に示すように、例えば、レーザ光を伝送するための光ファイバ３と、光ファイバ３を被覆するように設けられた被覆層４とを備え、被覆層４が除去された光ファイバ３の側面にモードストリッパ６が形成されている。ここで、モードストリッパ６は、光ファイバ３の先端（図６中左側）からスリーブチャック１５ｂの先端（図６中左側）までの領域の任意の範囲に形成され、光ファイバ３のクラッド２を伝搬するクラッドモード光を光ファイバ３の外部に放射させるように構成されている。なお、モードストリッパ６は、例えば、エッチングやサンドブラストなどにより、光ファイバ３の外周面を荒らしたり、レーザ加工などにより、光ファイバ３の外周面に溝加工を施したりして形成される。
【００４７】
スリーブチャック１５ｂは、例えば、無酸素銅などの高い熱伝導性を有する金属により、略円筒状に形成されている。ここで、スリーブチャック１５ｂの表面には、金メッキ処理が施されている。また、スリーブチャック１５ｂの先端部分には、先端から長さ方向に延びるように４つのすり割り１９が周方向に９０度の間隔で形成されている（図２〜図４参照）。そして、スリーブチャック１５ｂは、光ファイバ心線５を挿通させた状態でその先端部分がテーパー孔部１１ｃの表面に当接して加締められることにより、光ファイバ心線５を被覆層４で保持してコネクタ１０の貫通孔１１の内部で固定されるように構成されている。
【００４８】
また、スリーブチャック１５ｂは、図６に示すように、大径孔部１１ａに係合するように設けられた後端ストレート部１６ｂと、小径孔部１１ｂに係合するように設けられた先端ストレート部１７ｂと、テーパー孔部１１ｃに係合するように設けられたテーパー部１８ｂとを備えている。ここで、先端ストレート部１７ｂ及びテーパー部１８ｂは、４つのすり割り１９により、それぞれ４つに分離されている。また、先端ストレート部１７ｂ及びテーパー部１８ｂの被覆層４に接触する表面は、ねじ切りされている。
【００４９】
光ファイバ固定構造３０ｂでは、図６に示すように、コネクタ１０の小径孔部１１ｂ、及びその小径孔部１１ｂに係合されたスリーブチャック１５ｂの先端ストレート部１７ｂの先端側において、光ファイバ心線５の被覆層４が除去されて光ファイバ３の側面が露出している。なお、光ファイバ固定構造３０ｂでは、図６に示すように、被覆層４の端面４ｅが先端ストレート部１７ｂの先端面から後退しており、上記実施形態１の光ファイバ固定構造３０ａでは、図１に示すように、被覆層４の端面４ｅが先端ストレート部１７ａの先端面とほぼ一致している。
【００５０】
上記構成の光ファイバ固定構造３０ｂは、まず、コネクタ１０の貫通孔１１の内部に後端側からスリーブチャック１５ｂ及びチャックねじ２０を順に挿入し、続いて、光ファイバ心線５の端部の被覆層４を除去し、モードストリッパ６を形成した後に、その光ファイバ心線５を被覆層４が除去された側からスリーブチャック１５ｂ及びチャックねじ２０の内部に挿入し、さらに、光ファイバ心線５を被覆層４で保持した状態でスリーブチャック１５ｂを固定するために、チャックねじ２０をトルクドライバ（トルクレンチ）で締め込み、スリーブチャック１５ｂの先端部分を加締めることにより、製造することができる。
【００５１】
以上説明したように、本実施形態の光ファイバ固定構造３０ｂによれば、上記実施形態１と同様に、光ファイバ心線５を被覆層４で保持してコネクタ１０の貫通孔１１の内部で固定されるスリーブチャック１５ｂがコネクタ１０の貫通孔１１の小径孔部１１ｂに係合する先端ストレート部１７ｂを備えているので、コネクタ１０の内部において、所定の端面の位置で光ファイバ３の端部を確実に固定することができる。
【００５２】
また、本実施形態の光ファイバ固定構造３０ｂによれば、コネクタ１０の貫通孔１１の小径孔部１１ｂに係合された先端ストレート部１７ｂの先端側では、光ファイバ心線５の被覆層４が除去されて光ファイバ３の側面が露出している。そのため、例えば、レーザ光の調心ずれや熱レンズ効果などに起因して、光ファイバ３の端面から入射したレーザ光のうち、光ファイバ３のクラッド２を伝搬するクラッドモード光がモードストリッパ６から外部に放射された後に、コネクタ１０の小径孔部１１ｂ内を伝搬して、スリーブチャック１５ｂの先端ストレート部１７ｂの先端側に入射しても、そのクラッドモード光が光ファイバ心線５の被覆層４に到達し難い。これにより、クラッドモード光による被覆層４の焼損を抑制することができる。
【００５３】
また、本実施形態の光ファイバ固定構造３０ｂによれば、スリーブチャック１５ｂが無酸素銅などの金属により形成され、スリーブチャック１５ｂの表面に金メッキ処理がなされているので、レーザ光の入射によりスリーブチャック１５ｂで発生した熱を効果的に吸収し、その熱をコネクタ１０外に排出することができる。これにより、クラッドモード光による被覆層４の焼損をいっそう抑制することができる。
【００５４】
また、本実施形態の光ファイバ固定構造３０ｂによれば、スリーブチャック１５ｂの先端ストレート部１７ｂの先端側では、光ファイバ心線５の被覆層４が除去されていても、その先端ストレート部１７ｂの後端側では、光ファイバ心線５の被覆層４が残っているので、スリーブチャック１５ｂの先端ストレート部１７ｂの後端側の部分によって、光ファイバ心線５をその被覆層４で十分に保持することができる。
【００５５】
《発明の実施形態３》
図７は、本実施形態の光ファイバ固定構造３０ｃの縦断面図である。
【００５６】
上記実施形態２では、光ファイバ３の側面にモードストリッパ６が形成された光ファイバ固定構造３０ｂを例示したが、本実施形態では、光ファイバ３の側面にモードストリッパ６が形成されていない光ファイバ固定構造３０ｃを例示する。
【００５７】
光ファイバ固定構造３０ｃは、図７に示すように、光ファイバ心線５の被覆層４が除去された光ファイバ３の側面にモードストリッパ６が形成されていないだけで、その他の構成が上記実施形態２の光ファイバ固定構造３０ｂの構成と実質的に同じになっている。
【００５８】
本実施形態の光ファイバ固定構造３０ｃによれば、上記実施形態１及び２と同様に、光ファイバ心線５を被覆層４で保持してコネクタ１０の貫通孔１１の内部で固定されるスリーブチャック１５ｂがコネクタ１０の貫通孔１１の小径孔部１１ｂに係合する先端ストレート部１７ｂを備えているので、コネクタ１０の内部において、所定の端面の位置で光ファイバ３の端部を確実に固定することができる。
【００５９】
なお、上記各実施形態では、４つのすり割り１９が形成されたスリーブチャック１５ａ又は１５ｂを用いた光ファイバ固定構造３０ａ〜３０ｃを例示したが、スリーブチャックに形成されるすり割りの個数は、これに限定されるものでなく、また、スリーブチャックの先端部分の加締めを容易にするものであれば他の構成であってもよい。
【００６０】
また、本実施形態では、光ファイバの端部を固定する光ファイバ固定構造を例示したが、本発明は、例えば、電線などの線材の端部を固定する線材固定構造にも適用することができる。
【産業上の利用可能性】
【００６１】
以上説明したように、本発明は、コネクタの内部において、所定の端面の位置で光ファイバの端部を確実に固定することができるので、レーザ光を伝送するための光ファイバだけでなく光ファイバ全般について有用である。
【符号の説明】
【００６２】
３        光ファイバ
４        被覆層
５        光ファイバ心線
６        モードストリッパ
１０      コネクタ
１１      貫通孔
１１ａ    大径孔部
１１ｂ    小径孔部
１１ｃ    テーパー孔部
１５ａ，１５ｂ    スリーブチャック
１６ａ，１６ｂ    後端ストレート部
１７ａ，１７ｂ    先端ストレート部
１８ａ，１８ｂ    テーパー部
１９      すり割り
３０ａ〜３０ｃ    光ファイバ固定構造
【図１】
2015163932.tif 000003
【図２】
2015163932.tif 000004
【図３】
2015163932.tif 000005
【図４】
2015163932.tif 000006
【図５】
2015163932.tif 000007
【図６】
2015163932.tif 000008
【図７】
2015163932.tif 000009
【図８】
2015163932.tif 000010
【図９】
2015163932.tif 000011